【手続補正書】
【提出日】平成17年6月24日(2005.6.24)
【手続補正１】
【補正対象書類名】明細書
【補正対象項目名】発明の名称
【補正方法】変更
【補正の内容】
【発明の名称】画像形成装置、画像形成装置の制御方法、及び制御プログラム
【手続補正２】
【補正対象書類名】明細書
【補正対象項目名】特許請求の範囲
【補正方法】変更
【補正の内容】
【特許請求の範囲】
【請求項１】
課金装置が接続され画像形成利用料を課す課金手段を備えた画像形成装置において、
ジョブ終了を通知するためのジョブ終了通知手段と、
前記課金装置の投入金額を通知するための投入金額通知手段と、
ジョブ終了後の動作を選択するための終了後動作選択手段と、
前記ジョブ終了通知手段によって、ジョブ終了が通知されたとき前記投入金額通知手段により通知された残金額に応じて、前記終了後動作選択手段における動作を選択するための表示画面を表示する表示手段とを有し、
前記表示手段は、前記投入金額通知手段により通知された残金額に従って前記終了後動作選択手段の動作の選択肢を変更して表示することを特徴とする画像形成装置。
【請求項２】
課金装置が接続され画像形成利用料を課す課金手段を備えた画像形成装置において、
ジョブ終了を通知するためのジョブ終了通知手段と、
前記課金装置の投入金額を通知するための投入金額通知手段と、
ジョブ終了後の動作を選択するための終了後動作選択手段と、
時間計測手段を有し、
前記ジョブ終了通知手段によって、ジョブ終了が通知された際、前記投入金額通知手段により通知された残金額に応じて、前記終了後動作選択手段における動作を選択するための表示画面を表示し、前記表示画面の表示中に所定の時間、操作がなかった場合、前記時間計測手段によりタイムアウト処理を実行し、前記表示画面を閉じることを特徴とする画像形成装置。
【請求項３】
課金装置が接続され画像形成利用料を課す課金手段を備えた画像形成装置の制御方法であって、
ジョブ終了を通知するためのジョブ終了通知工程と、
前記課金装置の投入金額を通知するための投入金額通知工程と、
ジョブ終了後の動作を選択するための終了後動作選択工程と、
前記ジョブ終了通知工程において、ジョブ終了が通知されたとき前記投入金額通知工程において通知された残金額に応じて、前記終了後動作選択工程における動作を選択するための表示画面を表示する表示工程とを含み、
前記表示工程は、前記投入金額通知工程において通知された残金額に従って前記終了後動作選択工程の動作の選択肢を変更して表示することを特徴とする画像形成装置の制御方法。
【請求項４】
課金装置が接続され画像形成利用料を課す課金手段を備えた画像形成装置の制御方法であって、
ジョブ終了を通知するためのジョブ終了通知工程と、
前記課金装置の投入金額を通知するための投入金額通知工程と、
ジョブ終了後の動作を選択するための終了後動作選択工程と、
時間計測工程を含み、
前記ジョブ終了通知工程において、ジョブ終了が通知された際、前記投入金額通知工程において通知された残金額に応じて、前記終了後動作選択工程における動作を選択するための表示画面を表示し、前記表示画面の表示中に所定の時間、操作がなかった場合、前記時間計測工程によりタイムアウト処理を実行し、前記表示画面を閉じることを特徴とする画像形成装置の制御方法。
【請求項５】
課金装置が接続され画像形成利用料を課す課金手段を備えた画像形成装置を制御するためのコンピュータ読み取り可能なプログラムであって、
ジョブ終了を通知するためのジョブ終了通知工程と、
前記課金装置の投入金額を通知するための投入金額通知工程と、
ジョブ終了後の動作を選択するための終了後動作選択工程と、
前記ジョブ終了通知工程において、ジョブ終了が通知されたとき前記投入金額通知工程において通知された残金額に応じて、前記終了後動作選択工程における動作を選択するための表示画面を表示する表示工程とを含み、
前記表示工程は、前記投入金額通知工程において通知された残金額に従って前記終了後動作選択工程の動作の選択肢を変更して表示することをコンピュータに実行させるためのプログラムコードからなることを特徴とするプログラム。
【請求項６】
課金装置が接続され画像形成利用料を課す課金手段を備えた画像形成装置を制御するためのコンピュータ読み取り可能なプログラムであって、
ジョブ終了を通知するためのジョブ終了通知工程と、
前記課金装置の投入金額を通知するための投入金額通知工程と、
ジョブ終了後の動作を選択するための終了後動作選択工程と、
時間計測工程を含み、
前記ジョブ終了通知工程において、ジョブ終了が通知された際、前記投入金額通知工程において通知された残金額に応じて、前記終了後動作選択工程における動作を選択するための表示画面を表示し、前記表示画面の表示中に所定の時間、操作がなかった場合、前記時間計測工程によりタイムアウト処理を実行し、前記表示画面を閉じることをコンピュータに実行させるためのプログラムコードからなることを特徴とするプログラム。
【手続補正３】
【補正対象書類名】明細書
【補正対象項目名】０００１
【補正方法】変更
【補正の内容】
【０００１】
【発明の属する技術分野】
本発明は、課金装置の残金に応じて、ユーザーにジョブ終了後の動作を選択させるための画面の表示／非表示および、表示させる動作の選択肢の変更を行う画像形成装置、画像形成装置の制御方法、及び制御プログラムに関する。
【手続補正４】
【補正対象書類名】明細書
【補正対象項目名】０００５
【補正方法】変更
【補正の内容】
【０００５】
【課題を解決するための手段】
上述した目的を達成するべく、請求項１に係る発明の画像形成装置は、課金装置が接続され画像形成利用料を課す課金手段を備えた画像形成装置において、ジョブ終了を通知するためのジョブ終了通知手段と、前記課金装置の投入金額を通知するための投入金額通知手段と、ジョブ終了後の動作を選択するための終了後動作選択手段と、前記ジョブ終了通知手段によって、ジョブ終了が通知されたとき前記投入金額通知手段により通知された残金額に応じて、前記終了後動作選択手段における動作を選択するための表示画面を表示する表示手段とを有し、前記表示手段は、前記投入金額通知手段により通知された残金額に従って前記終了後動作選択手段の動作の選択肢を変更して表示することを特徴とする。
【手続補正５】
【補正対象書類名】明細書
【補正対象項目名】０００６
【補正方法】変更
【補正の内容】
【０００６】
また、上述した目的を達成するべく、請求項２に係る発明の画像形成装置は、課金装置が接続され画像形成利用料を課す課金手段を備えた画像形成装置において、ジョブ終了を通知するためのジョブ終了通知手段と、前記課金装置の投入金額を通知するための投入金額通知手段と、ジョブ終了後の動作を選択するための終了後動作選択手段と、時間計測手段を有し、前記ジョブ終了通知手段によって、ジョブ終了が通知された際、前記投入金額通知手段により通知された残金額に応じて、前記終了後動作選択手段における動作を選択するための表示画面を表示し、前記表示画面の表示中に所定の時間、操作がなかった場合、前記時間計測手段によりタイムアウト処理を実行し、前記表示画面を閉じることを特徴とする。
請求項３に係る発明の画像形成装置の制御方法は、課金装置が接続され画像形成利用料を課す課金手段を備えた画像形成装置の制御方法であって、ジョブ終了を通知するためのジョブ終了通知工程と、前記課金装置の投入金額を通知するための投入金額通知工程と、ジョブ終了後の動作を選択するための終了後動作選択工程と、前記ジョブ終了通知工程において、ジョブ終了が通知されたとき前記投入金額通知工程において通知された残金額に応じて、前記終了後動作選択工程における動作を選択するための表示画面を表示する表示工程とを含み、前記表示工程は、前記投入金額通知工程において通知された残金額に従って前記終了後動作選択工程の動作の選択肢を変更して表示することを特徴とする。
請求項４に係る発明の画像形成装置の制御方法は、課金装置が接続され画像形成利用料を課す課金手段を備えた画像形成装置の制御方法であって、ジョブ終了を通知するためのジョブ終了通知工程と、前記課金装置の投入金額を通知するための投入金額通知工程と、ジョブ終了後の動作を選択するための終了後動作選択工程と、時間計測工程を含み、前記ジョブ終了通知工程において、ジョブ終了が通知された際、前記投入金額通知工程において通知された残金額に応じて、前記終了後動作選択工程における動作を選択するための表示画面を表示し、前記表示画面の表示中に所定の時間、操作がなかった場合、前記時間計測工程によりタイムアウト処理を実行し、前記表示画面を閉じることを特徴とする。
請求項５に係る発明のプログラムは、課金装置が接続され画像形成利用料を課す課金手段を備えた画像形成装置を制御するためのコンピュータ読み取り可能なプログラムであって、ジョブ終了を通知するためのジョブ終了通知工程と、前記課金装置の投入金額を通知するための投入金額通知工程と、ジョブ終了後の動作を選択するための終了後動作選択工程と、前記ジョブ終了通知工程において、ジョブ終了が通知されたとき前記投入金額通知工程において通知された残金額に応じて、前記終了後動作選択工程における動作を選択するための表示画面を表示する表示工程とを含み、前記表示工程は、前記投入金額通知工程において通知された残金額に従って前記終了後動作選択工程の動作の選択肢を変更して表示することをコンピュータに実行させるためのプログラムコードからなることを特徴とする。
請求項６に係る発明のプログラムは、課金装置が接続され画像形成利用料を課す課金手段を備えた画像形成装置を制御するためのコンピュータ読み取り可能なプログラムであって、ジョブ終了を通知するためのジョブ終了通知工程と、
前記課金装置の投入金額を通知するための投入金額通知工程と、ジョブ終了後の動作を選択するための終了後動作選択工程と、時間計測工程を含み、前記ジョブ終了通知工程において、ジョブ終了が通知された際、前記投入金額通知工程において通知された残金額に応じて、前記終了後動作選択工程における動作を選択するための表示画面を表示し、前記表示画面の表示中に所定の時間、操作がなかった場合、前記時間計測工程によりタイムアウト処理を実行し、前記表示画面を閉じることをコンピュータに実行させるためのプログラムコードからなることを特徴とする。
【手続補正６】
【補正対象書類名】図面
【補正対象項目名】図４
【補正方法】変更
【補正の内容】
【図４】
2004126212.tif 000001